(57)【要約】      （修正有）【課題】合成樹脂が滞留して固化することを回避することがでる複合合成樹脂押出ヘッドを提供する。【解決手段】複合合成樹脂押出ヘッドは、排出路１６の上流端部を囲繞し且つ排出路１６に連通する環状内側合成樹脂導入口２２ａを有する内側合成樹脂供給路２２、排出路１６を囲繞し且つ排出路１６に連通する環状外側合成樹脂導入口２６ａを有する外側合成樹脂供給路２６、排出路１６の上流端部に続いて上流に延在する案内孔２０、及び案内孔２０に摺動自在に挿入され且つ内側樹脂導入口２２ａを少なくとも部分的に閉塞する閉塞位置とこの閉塞位置から上流側に後退して内側樹脂導入口２２ａを解放する解放位置との間を往復動する開閉ピン部材３４とを具備する。開閉ピン部材３４の外周面又は案内孔２０の内周面に螺旋状に延びる逃し溝３６が形成されている。【選択図】図１
2015039857.tif 000002
【特許請求の範囲】
【請求項１】
下流端に位置する排出口を有し且つ上流端部は所定内径を有する円筒形状である排出路、該排出路の該上流端部を囲繞し且つ該排出路に連通する環状内側合成樹脂導入口を有する内側合成樹脂供給路、該内側合成樹脂導入口よりも下流側で該排出路を囲繞し且つ該排出路に連通する環状外側合成樹脂導入口を有する外側合成樹脂供給路、該排出路の該上流端部に続いて上流に延在する円筒形状の案内孔、及び該案内孔に摺動自在に挿入され且つ該内側樹脂導入口を少なくとも部分的に閉塞する閉塞位置と該閉塞位置から上流側に後退して該内側樹脂導入口を開放する開放位置との間を往復動せしめられる開閉ピン部材とを備えた複合合成樹脂押出ヘッドにおいて、
該開閉ピン部材の外周面又は該案内孔の内周面には螺旋状に延びる逃し溝が形成されている、ことを特徴とする複合合成樹脂押出ヘッド。
【請求項２】
該開閉ピン部材を所定方向に回転せしめるための回転手段が配設されており、該逃し溝は該開閉ピン部材の回転方向に向かって下流側に進行する、請求項１記載の複合合成樹脂押出ヘッド。
【請求項３】
該回転手段は、該開閉ピン部材の往復動に応じて該開閉ピン部材を回転せしめるカム機構から構成されている、請求項２記載の複合合成樹脂押出ヘッド。
【請求項４】
該開閉ピン部材が該閉塞位置から該開放位置に往動される間の該開閉ピン部材の回転角度は該開閉ピン部材が該開放位置から該閉塞位置に複動される間の該開閉ピン部材の回転角度よりも大きい、請求項３記載の複合合成樹脂押出ヘッド。
【請求項５】
該逃し溝のピッチＰは該開閉ピン部材の往復動ストロークＳと同一乃至これより小さい（Ｐ≦Ｓ）、請求項１から４までのいずれかに記載の複合合成樹脂押出ヘッド。
【請求項６】
該開閉ピン部材の上流端部は該案内孔の上流端を超えて突出せしめられており、該逃し溝は該開閉ピン部材の外周面に形成されていて、該逃し溝は該開閉ピン部材の上流端部まで存在せしめられており、該開閉ピン部材の該上流端部において該逃し溝から流出した合成樹脂を該開閉ピン部材から離脱せしめる離脱手段が配設されている、請求項１から５までのいずれかに記載の複合合成樹脂押出ヘッド。
【請求項７】
該開閉ピン部材が該閉塞位置に位置せしめられると該内側樹脂導入口が完全に閉塞される、請求項１から６までのいずれかに記載の複合合成樹脂押出ヘッド。
【発明の詳細な説明】
【技術分野】
【０００１】
本発明は、中空成形機、圧縮成形機或いは射出成形機の如き合成樹脂成形機に付設され、内側合成樹脂層とこの内側合成樹脂層を囲繞する外側合成樹脂層とを含む複合合成樹脂を押し出す複合合成樹脂押出ヘッドに関する。
【背景技術】
【０００２】
例えば飲食料用容器にブロー成形される前成形品（一般に「プリフォーム」と称されている）を圧縮成形するための合成樹脂素材として、少なくとも内側合成樹脂層とこの内側合成樹脂層を囲繞する外側合成樹脂層とを含む複合合成樹脂素材が広く使用されている。そして、下記特許文献１及び２には、上記複合合成樹脂素材を生成するために、内側合成樹脂層とこの内側合成樹脂層を囲繞する外側合成樹脂層とを含む複合合成樹脂を押し出すのに適用される複合合成樹脂押出ヘッドが開示されている。
【０００３】
上記特許文献１及び２に開示されている複合合成樹脂押出ヘッドは、下流端に位置する排出口を有し且つ上流端部は所定内径を有する円筒形状である排出路、この排出路の上流端部を囲繞し且つ排出路に連通する環状内側合成樹脂導入口を有する内側合成樹脂供給路、内側合成樹脂導入口よりも下流側で排出路を囲繞し且つ排出路に連通する環状外側合成樹脂導入口を有する外側合成樹脂供給路、排出路の上流端部に続いて上流に延在する円筒形状の案内孔、及び案内孔に摺動自在に挿入され且つ内側樹脂導入口を閉塞する閉塞位置とこの閉塞位置から上流側に後退して内側樹脂導入口を解放する解放位置との間を往復動せしめられる開閉ピン部材とを備えている。通常、排出路を囲繞し且つ内側合成樹脂導入口よりも下流側で外側合成樹脂導入口よりも上流側で排出路に連通する中間合成樹脂導入口を有する１個又は２個以上の中間合成樹脂供給路も配設されており、この場合には開閉ピン部材が閉鎖位置に位置せしめられると、内側合成樹脂導入口と共に中間合成樹脂導入口も閉塞される。
【先行技術文献】
【特許文献】
【０００４】
【特許文献１】特開２０１１−１０４８０７号公報
【特許文献２】特開２０１１−１３１５２１号公報
【発明の概要】
【発明が解決しようとする課題】
【０００５】
本発明者等の経験によれば、上記特許文献１及び２に開示されている従来の複合合成樹脂押出ヘッドには、次のとおりの問題が存在することが判明している。閉塞ピン部材が閉鎖位置と開放位置との間を繰り返し往復動せしめられると、内側合成樹脂及び／又は外側合成樹脂が案内孔と開閉ピン部材との間の間隙に進入し、そこに滞留して固化する傾向がある。そして、案内孔と開閉ピン部材と間の間隙に合成樹脂の滞留及び固化が発生すると、開閉ピン部材の円滑な往復動が阻害され、或いは滞留及び固化した合成樹脂の一部が偶発的に排出路に排出されて複合合成樹脂に混入して押し出される複合合成樹脂の品質を劣化せしめてしまう。
【０００６】
本発明者等は従来の複合合成樹脂押出ヘッドに存在する上記問題を回避するために、案内孔と開閉ピン部材との間の間隙を可及的に小さくすることを試みたが、間隙を過剰に小さくせしめると案内孔に対する開閉ピン部材の円滑な往復動が阻害され、案内孔に対する開閉ピン部材の円滑な往復動を阻害することなく案内孔と開閉ピン部材との間の間隙に合成樹脂が進入するのを防止することは不可能ではないにしても実際上著しく困難であることを認識した。
【０００７】
本発明は上記事実に鑑みてなされたものであり、その主たる技術的課題は、従来の複合合成樹脂押出ヘッドに改良を加えて、案内孔と開閉ピン部材との間の間隙に進入した合成樹脂を適宜に外部に排出せしめ、かくして案内孔と開閉ピン部材との間の間隙に合成樹脂が滞留して固化することを可及的に回避することがでるようにせしめることである。
【課題を解決するための手段】
【０００８】
本発明者等は、鋭意検討及び実験の結果、開閉ピン部材の外周面又は案内孔の内周面に螺旋状に延びる逃し溝を形成することによって、上記主たる技術的課題を達成することができることを見出した。
【０００９】
即ち、本発明によれば、上記主たる技術的課題を達成するための複合合成樹脂押出ヘッドとして、下流端に位置する排出口を有し且つ上流端部は所定内径を有する円筒形状である排出路、該排出路の該上流端部を囲繞し且つ該排出路に連通する環状内側合成樹脂導入口を有する内側合成樹脂供給路、該内側合成樹脂導入口よりも下流側で該排出路を囲繞し且つ該排出路に連通する環状外側合成樹脂導入口を有する外側合成樹脂供給路、該排出路の該上流端部に続いて上流に延在する円筒形状の案内孔、及び該案内孔に摺動自在に挿入され且つ該内側樹脂導入口を少なくとも部分的に閉塞する閉塞位置と該閉塞位置から上流側に後退して該内側樹脂導入口を解放する解放位置との間を往復動せしめられる開閉ピン部材とを備えた多層合成樹脂押出ヘッドにおいて、
該開閉ピン部材の外周面又は該案内孔の内周面には螺旋状に延びる逃し溝が形成されている、ことを特徴とする複合合成樹脂押出ヘッドが提供される。
【００１０】
好ましくは、該開閉ピン部材を所定方向に回転せしめるための回転手段が配設されており、該逃し溝は該開閉ピン部材の回転方向に向かって下流側に進行する。該回転手段は、該開閉ピン部材の往復動に応じて該開閉ピン部材を回転せしめるカム機構から構成されているのが好適である。該開閉ピン部材が該閉塞位置から該解放位置に往動される間の該開閉ピン部材の回転角度は該開閉ピン部材が該解放位置から該閉塞位置に複動される間の該開閉ピン部材の回転角度よりも大きいのが望ましい。該逃し溝のピッチＰは該開閉ピン部材の往復動ストロークＳと同一乃至これより小さい（Ｐ≦Ｓ）のが好都合である。該開閉ピン部材の上流端部は該案内孔の上流端を超えて突出せしめられており、該逃し溝は該開閉ピン部材の外周面に形成されていて、該逃し溝は該開閉ピン部材の上流端部まで存在せしめられており、該開閉ピン部材の該上流端部において該逃し溝から流出した合成樹脂を該開閉ピン部材から離脱せしめる離脱手段が配設されているのが好ましい。好適実施形態においては、該開閉ピン部材が該閉塞位置に位置せしめられると該内側樹脂導入口が完全に閉塞される、
【発明の効果】
【００１１】
本発明の複合合成樹脂押出ヘッドにおいては、案内孔と開閉ピン部材との間の間隙に進入する合成樹脂は逃し溝内に流入し、そして逃し溝に沿って適宜に流動して外部に排出される。開閉ピン部材を所定方向に回転せしめると共に逃し溝を開閉ピン部材の回転方向に向かって下流側に進行する形態にせしめると、逃し溝内に流入した合成樹脂を逃し溝に沿って上流側に充分効果的に流動せしめることができる。
【図面の簡単な説明】
【００１２】
【図１】本発明に従って構成された複合合成樹脂押出ヘッドの好適実施形態を示す断面図。
【図２】図１に示す複合合成樹脂押出ヘッドにおける離脱手段を示す水平断面図。
【図３】図１に示す複合合成樹脂押出ヘッドにおける離脱手段を示す鉛直断面図。
【図４】図１に示す複合合成樹脂押出ヘッドにおけるカム機構の作用を説明するための簡略部分図。
【発明を実施するための形態】
【００１３】
以下、本発明に従って構成された複合合成樹脂押出ヘッドの好適実施態様を図示している添付図面を参照して更に詳細に説明する。
【００１４】
図１を参照して説明すると、図示の複合合成樹脂押出ヘッドは、下流端に配設されているノズル部材２と共に同心状に配列された６個のブロック部材４、６、８、１０、１２及び１４を具備している。ノズル部材２並びにブロック部材４、６、８、１０、１２及び１４は適宜の締結手段（図示していない）によって図１に図示するとおりの状態に固定されている。
【００１５】
ノズル部材２には図１において上下方向に延在する排出路１６が規定されている。この排出路１６は比較的大きい内径を有する下流部１６ａ、上流に向かって内径が漸次減少する円錐台形状部１６ｂ、比較的小さい内径を有する円筒形状部１６ｃ及び第二の中間部１６ｃの内径よりも更に幾分小さい内径を有する円筒形状の上流端部１６ｄを有する。排出路１６の下流端には円形排出口１８が規定されている。ブロック部材１２及び１４内には、排出路１６の上流端部１６ｄに続いて上流に（即ち排出路１６における樹脂の流動方向に対して反対側であり、図１において上方に）延在する円筒形状の案内孔２０が規定されている。この案内孔２０の内径は排出路１６の上流端部１６ｄの内径と実質上同一或いはそれより若干大きい。
【００１６】
ブロック部材８とブロック部材１０及び１４との間には内側合成樹脂供給路２２が形成され、ブロック部材６とブロック部材８との間には中間合成樹脂供給路２４が形成され、ノズル部材４及びブロック部材４とブロック部材６との間には外側合成樹脂供給路２６が形成されている。内側合成樹脂供給路２２の上流端には例えばエチレンビニルアルコール共重合体（エチレン酢酸ビニル共重合体ケン化物）、芳香族ポリアミド或いは脂肪族ポリアミドの如きガスバリア性に優れた合成樹脂、又はこれらの合成樹脂に酸素吸収材もしくは層状無機化合物をブレンドしたものでよい内側合成樹脂の供給源２８が接続されており、内側合成樹脂供給路２２の下流端には排出路１６の上流端部１６ｄを囲繞して排出路１６に連通する環状内側合成樹脂導入口２２ａが規定されている。中間合成樹脂供給路２４の上流端には例えば接着剤として機能するカルボニル基（＞Ｃ＝Ｏ）を主鎖若しくは側鎖に１乃至１００ｍｅｑ／１００ｇ樹脂、特に１０乃至１００ｍｅｑ／１００ｇ樹脂の量で含有する樹脂、具体的には、マレイン酸、イタコン酸、フマル酸等のカルボン酸若しくはその無水物、アミド、エステルなどでグラフト変性されたオレフィン樹脂、エチレン−アクリル酸共重合体、イオン架橋オレフィン系共重合体、エチレン−酢酸ビニル共重合体の如き合成樹脂、又はこれらの合成樹脂に後述する第三の合成樹脂をブレンドしたものでよい中間合成樹脂の供給源３０が接続されており、中間合成樹脂供給路２４の下流端には上記環状内側合成樹脂導入口２２ａよりも下流側において排出路１６の上流端部１６ｄを囲繞して排出路１６に連通する環状中間合成樹脂導入口２４ａが規定されている。外側合成樹脂供給路２６の上流端には例えば機械的特性に優れたポリエステル系樹脂(ＰＥＴ、ＰＥＮ、ＰＬＡなど)、オレフィン系樹脂(ＰＥ、ＰＰ等)でよい外側合成樹脂の供給源３２が接続されており、外側合成樹脂供給路２２の下流端には上記環状中間合成樹脂導入口２４ａよりも更に下流側において排出路１６の第二の中間部１６ｃを囲繞して排出路１６に連通する外側合成樹脂導入口２２ａが規定されている。
【００１７】
上記案内孔２０には丸棒形態の開閉ピン部材３４が滑動自在に挿入されている。この開閉ピン部材３４は、図示していない往復動機構によって図１に実線で示す開放位置と図１に二点鎖線で示す閉鎖位置との間を往復昇降動せしめられる。開閉ピン部材３４が上記閉塞位置に位置せしめられると、内側合成樹脂導入口２２ａ及び中間合成樹脂導入口２４ａが閉塞されて、排出路１６への内側合成樹脂及び中間合成樹脂の供給が阻止され、開閉ピン部材３４が上流側に後退して上記開放位置に位置せしめられると、内側合成樹脂導入口２２ａ及び中間合成樹脂導入口２４ａが開放されて、排出路１６への内側合成樹脂及び中間合成樹脂の供給が許容される。
【００１８】
上述したとおりの複合合成樹脂押出ヘッドにおいては、開閉ピン部材３４が間欠的に開放位置に位置せしめられ、従って外側合成樹脂は排出路１６に連続的に供給されるが、内側合成樹脂及び中間合成樹脂は間欠的に排出路１６に供給され、かくして内側合成樹脂が中間合成樹脂に囲繞され、そして更に中間合成樹脂が外側合成樹脂によって囲繞された形態の複合合成樹脂が排出口１８から押し出され、適宜の切断手段（図示していない）によって切断されて複合合成樹脂素材として例えば圧縮成形装置の成形型内に送給される。
【００１９】
図示の複合合成樹脂押出ヘッドの上述したとおりの構成及び作用は、本発明に従って改良された複合合成樹脂押出ヘッドの新規な特徴を構成するものではなく、本発明によって改良される複合合成樹脂押出ヘッドの典型例を示すにすぎない。それ故に、図示の複合合成樹脂押出ヘッドの上述したとおりの構成及び作用についての詳細な説明は本明細書においては省略する。
【００２０】
図１を参照して説明を続けると、本発明に従って改良された図示の複合合成樹脂押出ヘッドにおいては、上記開閉ピン部材３４の外周面には螺旋状に、更に詳細には図１において上方から見て反時計方向（後に言及する如く開閉ピン部材３４の回転方向）に向かって下流側に（図１において下方に）進行する螺旋状に、延びる逃し溝３６が形成されている。逃し溝３６のピッチＰは開閉ピン部材３４の往復度ストロークＳと実質上同一乃至これより小さい（Ｐ≦Ｓ）のが好適である。所望ならば、開閉ピン部材３４の外周面に逃し溝３６を形成することに代えて、案内孔２０の内周面に同様な逃し溝を形成することもできる。
【００２１】
図１に明確に図示するとおり、開閉ピン部材３４の上流端部は案内孔２０の上流端を超えて突出せしめられており、案内孔２０を超えて突出する開閉ピン部材３４の上流端部には、開閉ピン部材３４の逃し溝３６から流出する合成樹脂を開閉ピン部材から離脱せしめるための離脱手段３８と共に、開閉ピン部材３４の往復昇降動に応じて開閉ピン部材３４を回転せしめるためのカム機構４０が付設されている。
【００２２】
図１と共に図２及び図３を参照して説明すると、上記離脱手段３８は案内孔２０の上端よりも幾分上方に配設されている。この離脱手段３８は、開閉ピン部材３４の外周面に沿って弧状に延びる弧状面４２ａ、弧状面４２に続いて開閉ピン部材３４の外周面から離隔する方向に弧状に延びる弧状面４２ｂ、及び弧状面４２ｂに続いて開閉ピン部材３４から離隔する方向に真直に延びる真直面４２ｃを有する静止離脱部材４２から構成されている。静止離脱部材４２の真直面４２ｃの下方には樋片４４が配設されている。後に更に言及するとおりにして逃し溝３６に沿って開閉ピン部材３４の上流端部まで流動し、案内孔２０の上流端よりも上方において逃げ溝３６より流出する合成樹脂は、静止離脱部材４２における弧状面４２ａと弧状面４２ｂとの境界に位置する鋭い突出縁の掻取作用によって開閉ピン部材３４から離脱せしめられ、弧状面４２ｂ及び真直面４２ｃに沿って移動せしめられて、適宜の収集手段（図示していない）に収集される。弧状面４２ｂ及び真直面４２ｃから離脱した合成樹脂は樋片４４上に落下し、樋片４４を超えて下方に落下することなく上記収集手段に収集される。
【００２３】
図１と共に図４を参照して上記カム機構４０について説明すると、図示の実施形態におけるカム機構４０は、上記開閉ピン部材３４の上端端部に固定された可動カム部材４６と２個の静止カム部材４８ａ及び４８ｂとから構成されている。可動カム部材４６は開閉ピン部材３４の上端に同心状に固定された円筒状基部５０を有し、この基部５０の外周面には周方向に等間隔をおいて形成された台形状の複数個のカム片５２が形成されている。静止カム部材４８ａは可動カム部材４６の上方に配設され、静止カム部材４８ｂは可動カム部材４６の下方に配設されている。静止カム部材４８ａは環状板部とこの環状板部から下方に突出する円筒形状部を有し、円筒形状部の先端部には図１及び図４において上方から見て反時計方向に向かって上方に傾斜して延びる下端縁を有する複数個のカム片５４ａが周方向に等間隔をおいて形成されている。同様に、静止カム部材４８ｂは環状板部とこの環状板部から上方に突出する円筒形状部を有し、かかる円筒形状部の先端部には図１及び図４において上方から見て反時計方向に向かって下方に傾斜して延びる下端縁を有する複数個のカム片５４ｂが周方向に等間隔をおいて形成されている。上述した開閉ピン部材３４は静止カム部材４８ｂ及び４８ａを貫通して上方に延出しており、上端は開閉ピン部材３４を間欠的に上記閉塞位置と上記開放位置との間で往復動せしめるための往復動機構（図示していない）に連結されている。
【００２４】
図４を参照して説明を続けると、開閉ピン部材３４が上記閉塞位置から上記開放位置に往動せしめられる際には、静止カム部材４８ａに対して可動カム部材４６が図４（ａ）に図示する位置から図４（ｃ）に図示する位置まで上昇せしめられ、カム片５２の傾斜上縁がカム片５４ａの傾斜先端縁に沿って移動せしめられて開閉ピン部材３４は上昇と共に図１及び図４において上方から見て反時計方向に回転せしめられる。一方、開閉ピン部材３４が上記開放位置から上記閉鎖位置に復動せしめられる際には、静止カム部材４８ｂに対して可動カム部材４６が図４（ｃ）に図示する位置から図４（ａ）に図示する位置まで下降せしめられ、カム片５２の傾斜下縁がカム片５４ｂの傾斜先端縁に沿って移動せしめられて開閉ピン部材３４が下降と共に図１及び図４において上方から見て反時計方向に回転せしめられる。図４（ａ）乃至（ｅ）を比較参照することによって明確に理解される如く、図示の実施形態においては、開閉ピン部材３４が上昇せしめられる際には開閉ピン部材３４の上昇の略全域に渡って開閉ピン部材３４が回転されるが、開閉ピン部材３４が下降せしめられる際にはその一部分に渡って開閉ピン部材３４が回転され、従って回転ピン部材３４が上昇せしめられる際の開閉ピン部材３４の回転角度は開閉ピン部材３４が下降せしめられる際の回転角度よりも大きく設定されている。開閉ピン部材３４が下降せしめられる際にはその一部領域において開閉ピン部材３４の回転を回避せしめている理由は、開閉ピン部材３４の回転によって排出路１６に導入される内側合成樹脂、中間合成樹脂及び／又は外側合成樹脂に悪影響が及ぼされるのを可及的に回避するためである。
【００２５】
本発明に従って構成された上述したとおりの合成樹脂押出ヘッドにおいては、案内孔２０と開閉ピン部材３４との間隙に進入する合成樹脂は、開閉ピン部材３４の外周面に形成された逃げ溝３６に流入する。次いで、開閉ピン部材３４が往復昇降動せしめられる際に図１において上方から見て反時計方向に回転せしめられることに起因して、逃げ溝３６に沿って漸次上昇せしめられる。そして、案内孔２０の上端よりも上方に流動せしめられた後に、離脱手段３８によって開閉ピン部材３４から離脱せしめられる。かくして、案内孔２０と開閉ピン部材３４との間隙に進入した合成樹脂がそこに滞留して固化することが効果的に防止される。
【００２６】
而して、上述した実施形態においては、開閉ピン部材３４が閉塞位置にせしめられると、内側合成樹脂導入口２２ａ及び中間合成樹脂導入口２４ａが完全に閉塞されるが、殊に射出成形機に付設される複合合成樹脂押出ヘッドの場合には、開閉ピン部材３４が閉塞位置にせしめられると内側合成樹脂導入口２２ａは部分的に閉塞され（従って内側合成樹脂はその導入量が低減されるが中断されることなく排出路１６に導入され続ける）、中間合成樹脂導入口２４ａは閉塞されることなく完全に解放された状態に維持され続けるように設定することもできる。
【００２７】
実施例１
図１乃至図４に図示するとおりの形態の複合合成樹脂押出ヘッドを製作した。案内孔の内径は６．２ｍｍで、案内孔の全長は２２４ｍｍで、開閉ピン部材の外径は６．１ｍｍであった。但し、図１においては明示していないが、案内孔の下流端（軸線方向長さ３６ｍｍ）及び上流端（軸線方向長さ３８ｍｍ）においては、案内孔の内径は設計上開閉ピン部材の外径と同一寸法に設定した。開閉ピン部材の外周面には溝幅１．０ｍｍでピッチ１０．０ｍｍの螺旋状逃げ溝を形成した。案内孔と開閉ピン部材との間の間隙の設計容積は、３１７ｍｍ３であった。かような複合合成樹脂押出ヘッドを使用して、複合合成樹脂を押し出すと共に押出口において切断して比重が１．２で目付重量が１２．９ｇの複合合成樹脂塊を毎分４０個生成する作動速度で複合合成樹脂を押し出し、２時間連続運転した。回転ピン部材は１往復動毎に２４度回転（従って毎分２．６６回転）せしめられた。２時間の連続運転の間に、回転ピン部材の逃げ溝を流動して案内孔から流出された合成樹脂量は２．０ｇであった（従って、案内孔と開閉ピン部材との間隙に進入した合成樹脂の比重を１．２とすると、２時間の連続運転の間に、案内孔と開閉ピン部材との間の間隙の容積の５．３１倍の容積の合成樹脂が案内孔から流出せしめられたことになる）。
【００２８】
実施例２
静止カム部材を除去して開閉ピン部材の往復動の際に開閉ピン部材を回転せしめなかった点を除いて、実施例１を同様にして２時間連続運転した。２時間の連続運転の間に、回転ピン部材の逃げ溝を流動して案内孔から流出された合成樹脂量は１．６ｇであった（従って、案内孔と開閉ピン部材との間隙に進入した合成樹脂の比重を１．２とすると、２時間の連続運転の間に、案内孔と開閉ピン部材との間の間隙の容積の４．２５倍の容積の合成樹脂が案内孔から流出せしめられたことになる）。
【００２９】
比較例
開閉ピン部材として逃げ溝が形成されていない丸棒形状の開閉ピン部材を使用したこと（従って、案内孔と開閉ピン部材との間の間隙の設計容積は１５０ｍｍ３であった）、及び静止カム部材を除去して開閉ピン部材の往復動の際に開閉ピン部材を回転せしめなかったことを除いて、実施例１と同様にして２時間連続運転した。２時間の連続運転の間に、案内孔の上端から紛状の炭化物として０．０７ｇの合成樹脂が流出した（従って、２時間の連続運転の間に、案内孔と開閉ピン部材との間の間隙の容積の０．３９倍の容積の合成樹脂が案内孔から流出せしめられたことになる）。
【符号の説明】
【００３０】
１６：排出路
１８：排出口
２０：案内路
２２：内側合成樹脂供給路
２２ａ：内側合成樹脂導入路
２４：中間合成樹脂供給路
２４ａ：中間合成樹脂導入口
２６：外側合成樹脂供給路
２６ａ：外側合成樹脂導入口
３４：開閉ピン部材
３６：逃し溝
３８：離脱手段
４０：カム機構
【図１】
2015039857.tif 000003
【図２】
2015039857.tif 000004
【図３】
2015039857.tif 000005
【図４】
2015039857.tif 000006